(57)【要約】【課題】アース線を設けずにサーミスタ式温度センサーのノイズ対策を行う。【解決手段】サーミスタ式温度センサーにおいて、サーミスタチップ１１が内蔵されるサーミスタ本体内部のサーミスタチップ１１の前後にそれぞれノイズフィルタ１２・１２を設けるサーミスタ式温度センサー１０、或いはサーミスタチップ２１が内蔵されるサーミスタ本体と信号線２４とを接続するコネクタ２３の直後のサーミスタ両端に連なる信号線２４にそれぞれノイズフィルタ２２・２２を設けるサーミスタ式温度センサー２０。【選択図】図２
2009008431.tif 000002
【特許請求の範囲】
【請求項１】
サーミスタ式温度センサーにおいて、
サーミスタチップが内蔵されるサーミスタ本体内部のサーミスタチップの前後に、
それぞれノイズフィルタを設ける
ことを特徴とするサーミスタ式温度センサー。
【請求項２】
サーミスタ式温度センサーにおいて、
サーミスタチップが内蔵されるサーミスタ本体と信号線とを接続するコネクタ部の直後のサーミスタ両端に連なる信号線に、
それぞれノイズフィルタを設ける
ことを特徴とするサーミスタ式温度センサー。
【請求項３】
サーミスタ式温度センサーにおいて、
サーミスタチップが内蔵されるサーミスタ本体と信号線を接続するコネクタ部内部のサーミスタ両端に連なる信号線に、
それぞれノイズフィルタを設ける
ことを特徴とするサーミスタ式温度センサー。
【発明の詳細な説明】
【技術分野】
【０００１】
本発明は、サーミスタ式温度センサーの耐ノイズ構成技術に関する。
【背景技術】
【０００２】
従来、水冷式エンジンのエンジン冷却水回路に設けられる水温センサーとして、サーミスタ式温度センサーは公知である。サーミスタ式温度センサーは、サーミスタの抵抗値変化をエンジンの電子制御装置(Ｅｌｅｃｔｒｏｎｉｃ  Ｃｏｎｔｒｏｌ  Ｕｎｉｔ以下ＥＣＵ)で検知することで、エンジン冷却水温を検知するセンサーである。
【０００３】
ところで、近年、電子機器はいずれもＥＭＣ(電磁両立性)性能向上が要求されている。このＥＭＣ評価項目のうち外部からのノイズ侵入防止機能であるイミュニティ(感受性)性能に関しては、数百Ｖ／ｍレベルの環境下におけるノイズ侵入防止性能が必要とされる。
このようなイミュニティ性能の要求に対して、上記サーミスタ式温度センサーがノイズにより抵抗値が下がり水温を誤検知する場合がある。
【０００４】
ここで、例えばサーミスタ式温度センサーのノイズ対策の先行例は、特許文献１に開示されている。特許文献１の構成では、サーミスタ式温度センサーにアース線を設けてノイズ対策として開示されている。
【特許文献１】特開平８−２７１３５２号公報
【発明の開示】
【発明が解決しようとする課題】
【０００５】
しかし、サーミスタ式温度センサーにアース線を設ける構成は、配線工数がアース線の分だけ増加して、製造時又は補修時の配線作業が煩雑である。
そこで、本発明の課題は、アース線を設けずにサーミスタ式温度センサーのノイズ対策を行うことである。
【課題を解決するための手段】
【０００６】
本発明の解決しようとする課題は以上の如くであり、次にこの課題を解決するための手段を説明する。
【０００７】
即ち、請求項１においては、サーミスタ式温度センサーにおいて、サーミスタチップが内蔵されるサーミスタ本体内部のサーミスタチップの前後に、それぞれノイズフィルタを設けるものである。
【０００８】
請求項２においては、サーミスタ式温度センサーにおいて、サーミスタチップが内蔵されるサーミスタ本体と信号線とを接続するコネクタ部の直後のサーミスタ両端に連なる信号線に、それぞれノイズフィルタを設けるものである。
【０００９】
請求項３においては、サーミスタ式温度センサーにおいて、サーミスタチップが内蔵されるサーミスタ本体と信号線を接続するコネクタ部内部のサーミスタ両端に連なる信号線に、それぞれノイズフィルタを設けるものである。
【発明の効果】
【００１０】
本発明の効果として、以下に示すような効果を奏する。
【００１１】
請求項１においては、サーミスタチップの直近にフィルタを設けることにより、サーミスタチップ自体へのノイズ侵入を防止でき、サーミスタ式温度センサーの耐ノイズ性を向上できる。また、別途アース線を設けることなく、信号線のみの配線でサーミスタ式温度センサーを構成できるため、配線作業の作業性を向上できる。
【００１２】
請求項２においては、サーミスタチップの直近にフィルタを設けることにより、サーミスタチップ自体へのノイズ侵入を防止でき、サーミスタ式温度センサーの耐ノイズ性を向上できる。また、別途アース線を設けることなく、信号線のみの配線でサーミスタ式温度センサーを構成できるため、配線作業の作業性を向上できる。
【００１３】
請求項３においては、請求項１と同様、サーミスタチップの直近にフィルタを設けることにより、サーミスタチップ自体へのノイズ侵入を防止でき、サーミスタ式温度センサーの耐ノイズ性を向上できる。また、別途アース線を設けることなく、信号線のみの配線でサーミスタ式温度センサーを構成できるため、配線作業の作業性を向上できる。
【発明を実施するための最良の形態】
【００１４】
次に、発明の実施の形態を説明する。
図１は本発明の実施例に係るＥＣＵの全体的な構成を示す構成図、図２は本発明の実施例１を示す構成図、図３は本発明の実施例２を示す構成図である。図４は本発明の実施例３を示す構成図である。
【００１５】
まず、図１を用いて、本発明の実施例が接続されるＥＣＵ１について、簡単に説明する。
図１に示すように、ＥＣＵ１は、ＣＰＵ（Ｃｅｎｔｒａｌ  Ｐｒｏｃｅｓｓｉｎｇ  Ｕｎｉｔ）２を備えている。また、ＥＣＵ１は、入力インターフェイス回路３を介して、複数のセンサー６ａ・６ｂ・６ｃ・６ｄ・・・６ｎと接続されている。他方、ＥＣＵ１は、出力インターフェイス回路４を介して、複数のアクチュエータ７ａ・７ｂ・７ｃ・７ｄ・・・７ｎと接続されている。
【００１６】
ＥＣＵ１は、電子制御エンジン（図示略）を制御するコントロールユニットである。ＣＰＵ２は、エンジンを運転するための情報を処置する中央処理装置である。入力インターフェイス回路３は、センサー６とＣＰＵ２との間において、情報の入力を仲介する回路である。他方、出力インターフェイス回路４は、アクチュエータ７とＣＰＵ２との間において、情報の出力を仲介する装置である。
【００１７】
センサー６は、例えば、本発明の実施例であるサーミスタ式温度センサーを用いるエンジンの冷却水温を検出する冷却水温度センサー、エンジン回転数を検出するエンジン回転数センサー等がこれに相当する。アクチュエータ７は、例えば、エンジンの各気筒に燃料噴射を行うインジェクタ、コモンレールに高圧燃料を蓄圧するサプライポンプ等がこれに相当する。
【００１８】
ＥＣＵ１は、各センサー６から入力された情報を元に最適な燃焼・点火時期等をＣＰＵ２によって計算し、さらにその状況を学習して、その情報を元に各アクチュエータ７を駆動してエンジンを運転する。
【００１９】
サーミスタ式温度センサーは、温度変化に対して電気抵抗の変化の大きい抵抗体であるサーミスタチップを備える温度センサーである。サーミスタチップとしては、ＮＴＣサーミスタ、ＰＴＣサーミスタ等が公知である。ここで、ＮＴＣサーミスタは、温度の上昇に対して抵抗が減少するサーミスタである。一方、ＰＴＣサーミスタは、ＮＴＣサーミスタとは逆に抵抗が増大するサーミスタである。サーミスタ式温度センサーは、これらの現象を利用し、温度を測定するセンサーとして利用されるセンサーである。
エンジン制御に用いられるサーミスタ式温度センサーとしては、例えば、冷却水温度センサー、エンジン周囲温度センサー、排気温度センサー、又は吸気温度センサー等のエンジン各部位の温度を検出する温度センサーがこれに相当する。これらの温度センサーは、ＥＣＵ１に接続される。
以下に、図２乃至図４を用いて、本発明に係るサーミスタ式温度センサーの構成について、３つの実施例について説明する。
【００２０】
次に、図２を用いて、実施例１としてのサーミスタ式温度センサー１０について、詳細に説明する。なお、図２では、矢印の向きを電流の向きとして説明する。
図２に示すように、サーミスタ式温度センサー１０は、サーミスタチップ１１、ノイズフィルタ１２、コネクタ１３、及び信号線１４から構成されている。
ノイズフィルタ１２は、サーミスタチップ１１に対して電流の流れの前後にそれぞれ１つ設けられている。
また、２つのノイズフィルタ１２及びサーミスタチップ１１は、サーミスタユニット１６に設けられている。ここで、サーミスタユニット１６は、サーミスタチップ１１の両側にノイズフィルタ１２・１２を接続したものを一体的にケース内に収納する、或いは合成樹脂等で覆って一体的に形成されるユニットである。
さらに、コネクタ１３は、ノイズフィルタ１２・１２の他端において、サーミスタユニット１６と信号線１４とを接続可能とされている。ここで、コネクタ１３は、雄体と雌体の二つに分離して着脱可能とされている。なお、分離したコネクタ１３の一側とサーミスタユニット１６とは、一体的に構成することも可能である。
【００２１】
このような構成とすることで、サーミスタチップ１１の直近にノイズフィルタ１２を設けることにより、サーミスタチップ１１自体へのノイズ侵入を防止でき、サーミスタ式温度センサー１０の耐ノイズ性が向上できる。また、本実施例では、別途アース線を設けることなく、信号線１４のみの配線でサーミスタ式温度センサー１０を構成できるため、配線作業の作業性を向上できる。
【００２２】
次に、図３を用いて、実施例２としてのサーミスタ式温度センサー２０について、詳細に説明する。なお、図３では、矢印の向きを電流の向きとして説明する。
図３に示すように、サーミスタ式温度センサー２０は、サーミスタユニット２６、ノイズフィルタユニット２５から構成されている。
サーミスタユニット２６には、サーミスタチップ２１が設けられている。ここで、サーミスタユニット２６は、従来と同様にケースに収納する、或いは合成樹脂等で覆って一体的に形成されるユニットである。
また、ノイズフィルタユニット２５には、２本の信号線２４・２４にそれぞれ介するノイズフィルタ２２・２２が設けられている。
さらに、コネクタ２３は、サーミスタユニット２６と信号線２４とを接続可能としている。
【００２３】
このような構成とすることで、サーミスタチップ２１の直近にノイズフィルタ２２を設けることにより、サーミスタチップ２１自体へのノイズ侵入を防止でき、サーミスタ式温度センサー２０の耐ノイズ性が向上できる。また、本実施例では、別途アース線を設けることなく、信号線２４のみの配線でサーミスタ式温度センサー２０を構成できるため、配線作業の作業性を向上できる。
【００２４】
次に、図４を用いて、実施例３としてのサーミスタ式温度センサー３０について、詳細に説明する。なお、図３では、矢印の向きを電流の向きとして説明する。
図４に示すように、サーミスタ式温度センサー３０は、サーミスタユニット３６、ノイズフィルタユニット３５から構成されている。サーミスタユニット３６には、サーミスタチップ３１が設けられている。また、ノイズフィルタユニット３５には、２本の信号線３４・３４にそれぞれ介するノイズフィルタ３２・３２が設けられている。さらに、サーミスタユニット３６とノイズフィルタユニット３５とは、コネクタ接続により接続可能な構成とされている。
【００２５】
このような構成とすることで、実施例１及び実施例２と同様、サーミスタチップ３１の直近にノイズフィルタ３２を設けることにより、サーミスタチップ３１自体へのノイズ侵入を防止でき、サーミスタ式温度センサー３０の耐ノイズ性を向上できる。また、本実施例では、別途アース線を設けることなく、信号線３４のみの配線でサーミスタ式温度センサー３０を構成できるため、配線作業の作業性を向上できる。
【図面の簡単な説明】
【００２６】
【図１】本発明の実施例に係るＥＣＵの全体的な構成を示す構成図。
【図２】本発明の実施例１を示す構成図。
【図３】本発明の実施例２を示す構成図。
【図４】本発明の実施例３を示す構成図。
【符号の説明】
【００２７】
１０    サーミスタ式温度センサー
１１    サーミスタチップ
１２    ノイズフィルタ
１３    コネクタ
１４    信号線
１６    サーミスタユニット
【図１】
2009008431.tif 000003
【図２】
2009008431.tif 000004
【図３】
2009008431.tif 000005
【図４】
2009008431.tif 000006